(57)【要約】　【課題】　潜水中に安全停止を行ったときにどれ位の時間、そこで停止すべきかをダイバーが客観的に、かつ確実に判断できるようにして、ダイバーを減圧症からより確実に守ることのできるダイバーズ用情報処理装置を提供すること。　【解決手段】　ダイバーズ用情報処理装置１において、体内窒素排出時間導出手段９１は、体内窒素量導出手段６０が導出した体内窒素量に基づいてある水深位置でダイバーが安全停止したときに窒素が体内から排出されて所定の量になるまでの時間を体内窒素排出時間９０１、９０４、９０６として導出し、その結果をダイビングモード中、液晶表示パネル１１に表示する。【選択図】　　　図４
2004099039.tif 000002
【特許請求の範囲】
【請求項１】
　水深を計測する水深計測手段と、時間経過を計測する計時手段と、該計時手段の計測結果および前記水深計測手段の計測結果に基づいて潜水中に体内に蓄積された不活性ガス量を導出していく不活性ガス量導出手段と、該不活性ガス量導出手段が導出した体内不活性ガス量および現在水深値に基づいて該現在水深値に対応する水深位置でダイバーが停止し続けたときに不活性ガスが体内から排出されて目標体内不活性ガス量に到達するまでの時間を不活性ガス排出時間として導出する体内不活性ガス排出時間導出手段と、該体内不活性ガス排出時間導出手段が導出した不活性ガス排出時間を潜水中に表示可能な表示手段とを有することを特徴とするダイバーズ用情報処理装置。
【請求項２】
　水深を計測する水深計測手段と、時間経過を計測する計時手段と、該計時手段の計測結果および前記水深計測手段の計測結果に基づいて潜水中に体内に蓄積された不活性ガス量を導出していく不活性ガス量導出手段と、該不活性ガス量導出手段が導出した体内不活性ガス量および予め設定されている水深設定値に基づいて該水深設定値に対応する水深位置でダイバーが停止し続けたときに不活性ガスが体内から排出されて目標体内不活性ガス量に到達するまでの時間を不活性ガス排出時間として導出する体内不活性ガス排出時間導出手段と、該体内不活性ガス排出時間導出手段が導出した不活性ガス排出時間を潜水中に表示可能な表示手段とを有することを特徴とするダイバーズ用情報処理装置。
【請求項３】
　請求項２において、さらに、前記水深設定値を外部から任意の値に設定するための水深設定手段を有することを特徴とするダイバーズ用情報処理装置。
【請求項４】
　請求項２または３において、前記水深計測手段の計測結果に基づいて現在水深が前記水深設定値より浅くなったときにその旨をダイバーに報知する報知手段を有することを特徴とするダイバーズ用情報処理装置。
【請求項５】
　請求項１ないし３のいずれかにおいて、前記不活性ガス量導出手段の計測結果に基づいて体内不活性ガス量が前記目標体内不活性ガス量になったときにその旨をダイバーに報知する報知手段を有することを特徴とするダイバーズ用情報処理装置。
【請求項６】
　請求項４または５において、前記表示手段は、前記報知手段としても機能するように構成されていることを特徴とするダイバーズ用情報処理装置。
【請求項７】
　請求項４または５において、前記報知手段は、音による報知を行う報音装置を備えていることを特徴とするダイバーズ用情報処理装置。
【請求項８】
　請求項４または５において、前記報知手段は、振動による報知を行う振動発生装置を備えていることを特徴とするダイバーズ用情報処理装置。
【請求項９】
　請求項１ないし３のいずれかにおいて、前記不活性ガス排出時間は、前記水深位置でダイバーが停止し続けたときに体内不活性ガス量が前記目標体内不活性ガス量として前記水深位置での平衡値に到達するまでの時間であることを特徴とするダイバーズ用情報処理装置。
【請求項１０】
　請求項１ないし３のいずれかにおいて、前記不活性ガス排出時間は、前記水深位置でダイバーが停止し続けたときに体内不活性ガス量が、前記目標体内不活性ガス量として予め設定された不活性ガス量設定値に到達するまでの時間であることを特徴とするダイバーズ用情報処理装置。
【請求項１１】
　請求項１０において、さらに、前記不活性ガス量設定値を外部から任意の値に設定するための不活性ガス量設定手段を有することを特徴とするダイバーズ用情報処理装置。
【請求項１２】
　請求項１ないし３のいずれかにおいて、前記不活性ガス排出時間は、前記水深位置でダイバーが停止し続けたときに体内不活性ガスが所定の量だけ体内から排出されたときのガス量を前記目標体内不活性ガス量として該目標体内不活性ガス量に体内不活性ガスに到達するまでの時間であることを特徴とするダイバーズ用情報処理装置。
【請求項１３】
　請求項１ないし３のいずれかにおいて、前記表示手段は、前記体内不活性ガス排出時間をカウントダウン表示していくように構成されていることを特徴とするダイバーズ用情報処理装置。
【請求項１４】
　請求項１ないし３のいずれかにおいて、前記表示手段は、現在の体内不活性ガス量をグラフにより表示していくことを特徴とするダイバーズ用情報処理装置。
【請求項１５】
　請求項１４において、前記表示手段は、現在の体内不活性ガス量をグラフにより複数のランクのいずれに相当するかを表示していくとともに、前記不活性ガス排出時間導出手段は、前記グラフ表示において所定のランク位置に相当する体内不活性ガス量を前記目標体内不活性ガス量とし、該目標体内不活性ガス量に体内不活性ガスが到達するまでの時間を前記不活性ガス排出時間として導出するように構成されていることを特徴とするダイバーズ用情報処理装置。
【請求項１６】
　請求項１４において、前記表示手段は、現在の体内不活性ガス量をグラフにより複数のランクのいずれに相当するかを表示していくとともに、前記不活性ガス排出時間導出手段は、体内不活性ガスが前記グラフ表示における所定のランク数に相当する量だけ排出されたときのガス量を前記目標体内不活性ガス量とし、該目標体内不活性ガス量に体内不活性ガスが到達するまでの時間を前記不活性ガス排出時間として導出するように構成されていることを特徴とするダイバーズ用情報処理装置。
【請求項１７】
　請求項１ないし３のいずれかにおいて、さらに、前記不活性ガス量導出手段が導出した体内不活性ガス量に基づいて現在水深位置で無減圧潜水を継続可能な時間を導出していく潜水可能時間導出手段を有し、前記表示手段は、前記潜水可能時間導出手段が導出した無減圧潜水可能時間も潜水中に表示するように構成されていることを特徴とするダイバーズ用情報処理装置。
【請求項１８】
　請求項１ないし３のいずれかにおいて、さらに、前記不活性ガス量導出手段が導出した体内不活性ガス量に基づいて無減圧潜水状態を維持しながら潜降可能な許容水深値を導出していく許容水深値導出手段を有し、前記表示手段は、前記許容水深値導出手段が導出した許容水深値も潜水中に表示するように構成されていることを特徴とするダイバーズ用情報処理装置。
【請求項１９】
　請求項１ないし３のいずれかにおいて、前記不活性ガスは、窒素、ヘリウムなどの希ガス、またはヘリウムなどの希ガスと窒素との混合ガスであることを特徴とするダイバーズ用情報処理装置。
【発明の詳細な説明】
【技術分野】
【０００１】
　本発明は、ダイブコンピュータとも称せられるダイバーズ用情報処理装置に関するものである。さらに詳しくは、このような情報処理装置において、体内に溶け込んでいる体内不活性ガス量に基づいて、ダイバーが安全な潜水を行うための安全情報を導出するための技術に関するものである。
【背景技術】
【０００２】
　いわゆるダイブコンピュータと称せられるダイバーズ用情報処理装置において行われる潜水後の減圧条件の計算方法については、KEN LOYST et al. 著の「DIVE COMPUTERS A CONSUMER'S GUIDE TO HISTORY、THEORY & PERFORMANCE' 」Watersport Publishing Inc.(1991)に詳細に述べられている。また、理論についての文献としては、A.A.Buhlmann著の「Decompression-Decompression Sickness」、Springer、Berlin(1984)に詳しい。これらいずれの文献にも、ダイビングにより体内に溶け込んだ吸気中の窒素などの不活性ガスは体内で気泡となって減圧症を招くおそれがあることを示唆している。ここで、減圧症をより確実に防ぐという観点からは、A.A.Buhlmann著の「Decompression-Decompression Sickness」、Springer、Berlin(1984)、 pp.14に記載の下式に基づく計算も検討されている。
【０００３】
【数１】
2004099039.tif 000003
【０００４】
　この式において、ＰＩｉｇは呼吸気の不活性ガス分圧であり、ｋは半飽和時間によって決定される定数である。
【０００５】
　この式によると、
　Ｐｉｇｔ（ｔ0 ）＜ＰＩｉｇのとき、体内不活性ガス分圧Ｐｉｇｔ（ｔE ）は増加、すなわち不活性ガスを吸収し、
　Ｐｉｇｔ（ｔ0 ）＞ＰＩｉｇのとき、体内不活性ガス分圧Ｐｉｇｔ（ｔE ）は減少、すなわち不活性ガスを排出することになる。
【０００６】
　すなわち、不活性ガスの体内への吸収／排出は、浮上や潜降とは関係なく、体内不活性ガス分圧と呼吸気の不活性ガスの大小関係によって決まる。
【０００７】
　そこで、ダイバーズ用情報処理装置では、この大小関係から体内不活性ガス量を把握し、潜水終了後、陸上に上がったときには、体内不活性ガス量が陸上で平衡値に戻るまでの所要時間（体内不活性ガス排出時間）を表示するようになっている。従って、この表示を見たダイバーは、再び潜水を行う際には適正な時間だけ陸上で休息をとってから潜水を再開するので、減圧症にかかることなく１日に複数回の潜水を行うことができる。
【発明の開示】
【発明が解決しようとする課題】
【０００８】
　しかし、従来のダイバーズ用情報処理装置では、体内不活性ガス排出時間が陸上に上がってから表示されるだけであるため、ダイバーがより安全な潜水を行うために潜水途中で水深の比較的浅いところで安全停止した場合でも、安全停止した位置でどの位の時間、停止すればよいのかを判断ができない。また、ダイバーは、安全停止を開始してから時間がどの位経過したかをも知ることができない。
このため、ダイバーは、経験や記憶に頼りながら安全停止を行うことになり、ダイバーの安全を守る機能としては不十分である。
【０００９】
　以上の問題点に鑑みて、本発明の課題は、潜水中に安全停止を行ったときにどれ位の時間、そこで停止すべきかをダイバーが客観的に、かつ確実に判断できるようにして、ダイバーを減圧症からより確実に守ることのできるダイバーズ用情報処理装置を提供することにある。
【課題を解決するための手段】
【００１０】
　上記課題を解決するため、本発明に係るダイバーズ用情報処理装置では、水深を計測する水深計測手段と、時間経過を計測する計時手段と、該計時手段の計測結果および前記水深計測手段の計測結果に基づいて潜水中に体内に蓄積された不活性ガス量を導出していく不活性ガス量導出手段と、該不活性ガス量導出手段が導出した体内不活性ガス量および現在水深値に基づいて該現在水深値に対応する水深位置でダイバーが停止し続けたときに不活性ガスが体内から排出されて目標体内不活性ガス量に到達するまでの時間を不活性ガス排出時間として導出する体内不活性ガス排出時間導出手段と、該体内不活性ガス排出時間導出手段が導出した不活性ガス排出時間を潜水中に表示可能な表示手段とを有することを特徴とする。
【００１１】
　本発明では、現在の体内不活性ガス量および現在水深値に基づいて、現在水深値に対応する水深位置でダイバーが停止し続けたときの不活性ガス排出時間が導出され、かつ、この不活性ガス排出時間は潜水中も表示される。従って、ダイバーは、水深の比較的浅いところで安全停止したときには、表示された不活性ガス排出時間をみるだけで、この水深位置でどの位の時間、停止すればよいのかを経験や記憶に頼ることなく客観的に、かつ確実に判断できる。
【００１２】
　本発明では、現在水深位置に代えて、予め設定されている水深設定値に対応する水深位置でダイバーが停止し続けたときに不活性ガスが体内から排出されて目標体内不活性ガス量になるまでの時間を不活性ガス排出時間として導出してもよい。このように構成した場合にも、不活性ガス排出時間は潜水中も表示されるので、ダイバーは、前記の水深設定値に相当する位置で安全停止するとどの位の時間、停止すればよいのかを経験や記憶に頼ることなく客観的に、かつ確実に判断できる。
【００１３】
　ここで、前記水深設定値を外部から任意の値に設定するための水深設定手段を構成することにより、ダイバーの体調などを考慮して前記水深設定値を変更できるようにすることが好ましい。
【００１４】
　このように構成した場合には、前記水深計測手段の計測結果に基づいて現在水深が前記水深設定値より浅くなったときにはその旨をダイバーに報知する報知手段を構成しておくことが好ましい。ダイバーが実際に安全停止するときに、その停止位置があまりに浅くならないようにするためである。
【００１５】
　また、本発明では、前記不活性ガス量導出手段の計測結果に基づいて体内不活性ガス量が前記目標体内不活性ガス量になったときにその旨をダイバーに報知する報知手段を構成しておくことが好ましい。このように構成すると、ダイバーは十分な安全停止が終了したことを知ることができる。
【００１６】
　このような報知手段としては、前記表示手段自身を利用できる他、音による報知を行う報音装置、振動による報知を行う振動発生装置などを用いることができる。
【００１７】
　本発明において、前記不活性ガス排出時間としては、たとえば、現在の水深位置、または前記の水深設定値に相当する水深位置でダイバーが停止し続けたときに、体内不活性ガス量が目標体内不活性ガス量として前記水深位置での平衡値に達するまでの時間として導出される。
【００１８】
　これに対して、現在の水深位置、または前記の水深設定値に相当する水深位置でダイバーが停止し続けたときに、目標体内不活性ガス量として予め設定された不活性ガス量設定値に体内不活性ガス量が到達するまでの時間が前記不活性ガス排出時間として導出されるように構成してもよい。このように構成した場合には、前記不活性ガス量設定値を外部から任意の値に設定するための不活性ガス量設定手段を構成する。また、現在の水深位置、または前記の水深設定値に相当する水深位置でダイバーが停止し続けたときに、体内不活性ガスが所定の量だけ体内から排出されたときのガス量を前記目標体内不活性ガス量とし、該目標体内不活性ガス量に体内不活性ガスに到達するまでの時間を前記不活性ガス排出時間として導出するように構成してもよい。このように構成すると、不活性ガス排出時間が比較的短い時間として導出され、表示されるので、安全停止の目安として用いるのに適している。
【００１９】
　ここで、前記表示手段は、前記体内不活性ガス排出時間をカウントダウン表示していくことが好ましい。
【００２０】
　本発明において、前記表示手段は、現在の体内不活性ガス量をグラフにより表示し、ダイバーが体内不活性ガス量を視認しやすくすることが好ましい。このようにグラフ表示を用いる場合には、グラフが細かく変化するよりは、現在の体内不活性ガス量を複数のランクのいずれに相当するかを表示していく方がダイバーにとってはその変化を把握しやすい。たとえば、前記グラフ表示において所定のランク位置に相当する体内不活性ガス量を前記目標体内不活性ガス量とし、該目標体内不活性ガス量に体内不活性ガスが到達するまでの時間を前記不活性ガス排出時間として導出するように前記不活性ガス排出時間導出手段を構成する。また、体内不活性ガスが前記グラフ表示における所定のランク数に相当する量だけ排出されたときのガス量を前記目標体内不活性ガス量とし、該目標体内不活性ガス量に体内不活性ガスが到達するまでの時間を前記不活性ガス排出時間として導出するように前記不活性ガス排出時間導出手段を構成してもよい。
【００２１】
　本発明では、さらに、前記不活性ガス量導出手段が導出した体内不活性ガス量に基づいて現在水深位置で無減圧潜水を継続可能な時間を導出していく潜水可能時間導出手段を有し、前記表示手段は、前記潜水可能時間導出手段が導出した無減圧潜水可能時間も潜水中に表示するように構成されていることが好ましい。
【００２２】
　本発明では、さらに、前記不活性ガス量導出手段が導出した体内不活性ガス量に基づいて無減圧潜水状態を維持しながら潜降可能な許容水深値を導出していく許容水深値導出手段を有し、前記表示手段は、前記許容水深値導出手段が導出した許容水深値も潜水中に表示するように構成されていることが好ましい。　本発明は、前記不活性ガスが、たとえば、窒素ガス、希ガス、または窒素ガスとヘリウムとの混合ガスのいずれであっても適用できる。
【発明の効果】
【００２３】
　以上説明したように、本発明に係るダイバーズ用情報処理装置では、ある水深でダイバーが停止し続けたときの不活性ガス排出時間が導出され、かつ、この不活性ガス排出時間は潜水中も表示されることに特徴を有する。従って、ダイバーは陸上に上がらなくても、水深の比較的浅いところでどの位の時間、安全停止すればよいのかを経験や記憶に頼ることなく客観的に、かつ確実に判断できる。
【発明を実施するための最良の形態】
【００２４】
　以下、図面を参照して本発明の実施の形態を説明する。なお、各形態を説明していく前に各形態において共通する構成について説明し、しかる後に各形態のダイビングモードでの特徴点を説明する。
【００２５】
［基本構成］
（全体構成）
　図１（Ａ）、（Ｂ）はそれぞれ、本形態のダイバーズ用情報処理装置の装置本体および腕バンドの一部を示す平面図、および６時の方から装置本体をみたときの側面図である。図２はそのブロック図である。
【００２６】
　図１において、本形態のダイバーズ用情報処理装置１は、いわゆるダイブコンピュータとも称せられるものであり、潜水中に体内に蓄積される窒素量（体内不活性ガス量／体内窒素分圧）を計測し、この計測結果から、潜水後に陸上でとるべき休止時間などを表示するものである。このダイバーズ用情報処理装置１は、矩形の装置本体２に対して、腕時計における６時の側および１２時の側に腕バンド３、４がそれぞれ連結され、これらの腕バンド３、４によって腕時計と同様、腕に装着して使用することができる。装置本体２は、上ケース２１と下ケース２２とが完全水密状態でビス止めなどの方法で固定され、その内部には各種の電子部品などが搭載された基板（図示せず。）が収納されている。
【００２７】
　装置本体２の上面側には、液晶表示パネル１１を用いた表示部１０が構成され、それより腕時計における６時の側には２つのプッシュボタンからなるスイッチＡ、Ｂが構成されている。このため、潜水中でもスイッチ操作が容易である。ここで、スイッチＡ、Ｂは、後述するとおり、ダイバーズ用情報処理装置１で行われる各モードを選択、切り換えするとともに、各種条件を設定するための操作部５である。
【００２８】
　装置本体２の上面側のうち、腕時計における９時の側には、潜水を開始したか否かを監視するための水分検知センサーを用いた入水監視スイッチ３０が構成されている。この入水監視スイッチ３０は、装置本体２の上面に露出している２つの電極３１、３２を備え、これらの電極３１、３２が海水などで導通し、電極３１、３２間の抵抗値が小さくなったときに潜水を開始したものと判断する。但し、この入水監視スイッチ３０は、あくまで入水したことを検出して、後述するダイビングモードに移行するのに用いられるだけで、１回のタイビングを開始した旨を検出するものではない。すなわち、ダイバーズ用情報処理装置１を装着した腕が海水に浸かっただけのこともあり、このような場合にはダイビングを開始したものと扱うべきではないからである。それ故、本形態のダイバーズ用情報処理装置１では、装置本体２に内蔵の圧力センサ（図示せず。）によって水深（水圧）が一定以上、たとえば、本形態では水深が１．５ｍより深くなったときにダイビングを開始したものと見做し、かつ、この水深値よりも浅くなったときにダイビングが終了したものと見做す。
【００２９】
　図２に示すように、本形態のダイバーズ用情報処理装置１は、各種の情報を表示して利用者に報知するための液晶表示パネル１１、およびそれを駆動する液晶ドライバー１２を備える表示部１０と、各モードでの処理を行うとともに、各モードに応じた表示を液晶表示パネル１１で行わせる制御部５０とが構成されている。制御部５０に対しては、スイッチＡ、Ｂ、および入水監視スイッチ３０からの出力が入力されるようになっている。
【００３０】
　ダイバーズ用情報処理装置１では、通常時刻の表示や潜水時間の計測を行うことから、制御部５０に対しては、発振回路３１からのクロック出力が分周回路３２を介して入力され、時刻用カウンタ３３によって１秒単位での計時が行われる計時手段６８が構成されている。
【００３１】
　また、ダイバーズ用情報処理装置１は、水深を計測、表示するとともに、水深（水圧）と潜水時間とから体内に蓄積される窒素ガス（不活性ガス）の量を計測していくことから、圧力センサ３４（半導体圧力センサ）、この圧力センサ３４の出力信号に対する増幅回路３５、およびこの増幅回路３５から出力されるアナログ信号をデジタル信号に変換して制御部５０に出力するＡ／Ｄ変換回路３６を備える水深計測手段６１が構成されている。さらに、ダイバーズ用情報処理装置１には報音装置３７や振動発生装置３８が構成され、警告などをアラーム音や振動としてダイバーに知らせることが可能である。
【００３２】
　本形態において、制御部５０は、装置全体の制御を司るＣＰＵ５１と、このＣＰＵ５１の制御の下に液晶ドライバー１２および時刻用カウンタ３３を制御する制御回路５２とが用いられ、ＲＯＭ５３に格納されているプログラムに基づいてＣＰＵ５１が行う各処理によって後述する各モードが実現される。また、ＲＡＭ５４は潜水結果をログデータとして記録しておくメモリ、各種演算を行う際のワーキングメモリなどとして用いられる。
【００３３】
（浮上速度監視のための構成）
　ダイバーズ用情報処理装置１には、後述するダイビングモード中、ダイバーの浮上速度を監視して、それが適正か否かをダイバーの安全情報として導出する浮上速度監視手段が構成され、この手段は、ＣＰＵ５１、ＲＯＭ５３、ＲＡＭ５４などの機能を利用して以下の構成として実現される。
【００３４】
　すなわち、図３に示すように、ダイバーズ用情報処理装置１では、前記の計時手段６８の計測結果および水深計測手段６１の計測結果に基づいて浮上時の浮上速度を計測する浮上速度計測手段７５と、浮上速度計測手段７５の計測結果と予め設定されている浮上速度許容値７６とを比較して現在の浮上速度が浮上速度許容値７６より速い場合には浮上速度違反との判定を行う浮上速度違反判定手段７７とが構成されている。浮上速度計測手段７５は、図２に示したＣＰＵ５１、ＲＯＭ５３、ＲＡＭ５４の演算機能として実現される一方、浮上速度違反判定手段７７は、図２に示したＣＰＵ５１、ＲＯＭ５３、ＲＡＭ５４などで実現され、その判定結果を知らせる手段として、報音装置３７、振動発生装置３８、および液晶表示パネル１１が利用される。
【００３５】
（表示部の説明）
　再び図１（Ａ）において、液晶表示パネル１１の表示面には複数の表示領域が構成され、これら表示領域で行われる表示は基本的には以下のとおりである。まず、腕時計の１２時の側に位置する第１の表示領域１１１は、各表示領域のうちで最も大きく構成され、そこには、後述するダイビングモード、サーフェスモード（時刻モード）、プランニングモード、ログモードのときにそれぞれ現在水深、現在月日、水深ランク、潜水月日（ログナンバー）が表示される。第１の表示領域１１１より３時の側に位置する第２の表示領域１１２には、ダイビングモード、サーフェスモード（時刻モード）、プランニングモード、ログモードのときにそれぞれ潜水時間、現在時刻、無減圧潜水可能時間、潜水開始時刻（潜水時間）が表示される。第１の表示領域１１１より６時の側に位置する第３の表示領域１１３には、ダイビングモード、サーフェスモード（時刻モード）、プランニングモード、ログモードのときにそれぞれ最大水深、体内窒素排出時間、セーフティレベル、最大水深（平均水深）が表示される。第３の表示領域１１３より３時の側に位置する第４の表示領域１１４には、ダイビングモード、サーフェスモード（（時刻モード）、プランニングモード、ログモードのときにそれぞれ無減圧潜水可能時間、水面休止時間、温度、潜水終了時刻（最大水深時水温）が表示される。また、第３の表示領域１１３より６時の側に位置する第５の表示領域１１５には、電源容量切れ警告１０４や高所ランク１０３が表示される。
【００３６】
　液晶表示パネル１１の最も６時の側に位置する第６の表示領域１１６には、体内窒素量がグラフ表示される。ここで体内窒素量は、９個の全てのマークが消灯したときも含めて１０段階のランクに表示される。
【００３７】
　また、第６の表示領域１１６より３時の側に位置する第７の表示領域１１７には、ダイビングモードで減圧潜水状態になったときに窒素が吸収傾向にあるのか、排出傾向にあるかを示す領域、浮上速度が高すぎる旨の浮上速度違反警告の１つとしての「ＳＬＯＷ」を表示する領域、および潜水中に減圧潜水に至った旨の警告としての「ＤＥＣＯ」を表示する領域が構成されている。このように、液晶表示パネル１１の表示面では、ダイビングモードのときに現在水深を表示する領域（第１の表示領域１１１）が最も大きく確保されているので、ダイバーは重要なデータである現在水深の表示を視認しやすい。しかも、液晶表示パネル１１の表示面が上ケース２１の上面より凹んでいるため液晶表示パネル１１の表示面の周囲に上ケース２１に起因する段差があっても、ダイビングモードのときの現在水深の表示領域（第１の表示領域１１１）が１２時の側に配置されているので、前記の段差によって現在水深の表示が隠れることがない。それ故、この点からも、本形態のダイバーズ用情報処理装置１では、重要なデータである現在水深の表示を視認しやすい。
【００３８】
　さらに、本形態では、第３の表示領域１１３および第４の表示領域１１４に対して６時の側で隣接する領域には、第８の表示領域１１８および第９の表示領域１１９が構成され、これらの表示領域では、後述するように、上記の情報に加えてさらに別の情報も潜水中に表示される。
【００３９】
（安全情報導出手段の構成）
　図４は、本形態のダイバーズ用情報処理装置１において体内窒素量（体内不活性ガス量）を計算し、その結果に基づいて体内窒素排出時間や無減圧潜水可能時間などの安全情報を導出するための機能ブロック図である。
【００４０】
　図４に示すように、ダイバーズ用情報処理装置１には、吸気に含まれる窒素が体内に吸収され、かつ、排出されていく様子をシュミレートして、体内窒素量（（体内窒素分圧）を計算する体内窒素量導出手段６０（体内不活性ガス量導出手段）が構成されている。なお、以下に説明する体内窒素量の計算はあくまで一例であり、各種の方法を用いることができることから、ここではその一例を簡単に説明しておく。
【００４１】
　体内窒素量導出手段６０では、まず、体内窒素量を分圧として計算するために、図２に示した圧力センサー３４、増幅回路３５、Ａ／Ｄ変換回路３６を利用した水深計測手段６１、図２に示したＣＰＵ５１、ＲＯＭ５３、ＲＡＭ５４の機能として実現される呼吸気窒素分圧計算手段６２、図２に示したＲＡＭ５４を利用した呼吸気窒素分圧記憶手段６３、図２に示したＣＰＵ５１、ＲＯＭ５３、ＲＡＭ５４の機能として実現される体内窒素分圧計算手段６４、図２に示したＲＡＭ５４を利用した体内窒素分圧記憶手段６５、図２に示した時刻用カウンタ３３を利用した計時手段６８、図２に示したＣＰＵ５１、ＲＯＭ５３、ＲＡＭ５４の機能として実現され、呼吸気窒素分圧記憶手段６３と体内窒素分圧記憶手段６５に記憶されているデータ比較を行う比較手段６６、図２に示したＣＰＵ５１、ＲＯＭ５３、ＲＡＭ５４の機能として実現される半飽和時間選択手段６７が構成されている。
【００４２】
　これらの構成要素のうち、呼吸気窒素分圧計算手段６２、体内窒素分圧計算手段６４、比較手段６６、半飽和時間選択手段６７は、図２のＣＰＵ５１、ＲＯＭ５３、およびＲＡＭ５４にてソフトウエアとして実現可能であるが、ハードウエアである論理回路のみ、あるいは論理回路とＣＰＵを含む処理回路とソフトウエアを組み合わせることで実現することも可能である。
【００４３】
　この構成例では、水深計測手段６１は、時間ｔに対応する水深Ｐ（ｔ）を計測して出力する。
【００４４】
　呼吸気窒素分圧計算手段６２は、水深計測手段６１から出力された水深Ｐ（ｔ）に基づいて、呼吸気窒素分圧ＰＩＮ2 （ｔ）を計算し、出力する。呼吸気窒素分圧ＰＩＮ2 （ｔ）は潜水中の水深Ｐ（ｔ）より次式
　ＰＩＮ2 （ｔ）＝０．７９×Ｐ　　　　　　　　　［ｂａｒ］
により計算で求めることができる。
【００４５】
　呼吸気窒素分圧記憶手段６３は、呼吸気窒素分圧計算手段６２において上式のように計算されたＰＩＮ2 （ｔ）の値を記憶する。
【００４６】
　体内窒素分圧計算手段６４は、窒素の吸収／排出の速度が異なる組織毎に体内窒素分圧ＰＧＴ（ｔ）を計算する。１つの組織を例にとると、潜水時刻ｔ＝ｔ0 からｔE までに吸収／排出する体内窒素分圧ＰＧＴ（ｔE ）は、ｔ0 時の体内窒素分圧ＰＧＴ（ｔ0 ）と潜水時間ｔE と、半飽和時間ＴH より計算される。
【００４７】
　ここでいう半飽和時間ＴH とは、図５に示すように、体内窒素分圧ＰＧＴ（ｔE ）がｔ0 時の体内窒素分圧ＰＧＴ（ｔ0 ）からこの水深下での呼吸気窒素分圧ＰＩＩＧに到達する過程で体内窒素分圧ＰＧＴ（ｔ0 ）と呼吸気窒素分圧ＰＩＩＧとの中間圧力に到達するまでの時間（ハーフタイム）に相当する。
【００４８】
　そして、その結果は、図４に示すように、ＰＧＴ（ｔE ）として体内窒素分圧記憶手段６５に記憶される。そのための計算式は、下式のとおりである。
【００４９】
【数２】
2004099039.tif 000004
【００５０】
　ここで、ｋは実験的に求められる定数である。
【００５１】
　次に、比較手段６６により、呼吸気窒素分圧記憶手段６３の結果であるＰＩＮ2 （ｔ）と体内窒素分圧手段５の結果であるＰＧＴ（ｔ）を比較し、その結果、半飽和時間選択手段６７によって、体内窒素分圧計算手段６４で用いられる半飽和時間ＴH を可変とする。
【００５２】
　たとえば、ｔ＝ｔ0 時の呼吸気窒素分圧ＰＩＮ2 （ｔ0 ）、体内窒素分圧ＰＧＴ（ｔ0 ）が、それぞれ呼吸気窒素分圧記憶手段６３と体内窒素分圧記憶手段６５に記憶されているとすると、比較手段６６はこのＰＩＮ2 （ｔ0 ）とＰＧＴ（（ｔ0 ）を比較する。
【００５３】
　そして、体内窒素分圧計算手段６４は、半飽和時間選択手段６７により、次のように制御され、ｔ＝ｔE の時の体内窒素分圧ＰＧＴ（ｔE ）が計算される。
【００５４】
【数３】
2004099039.tif 000005
【００５５】
【数４】
2004099039.tif 000006
【００５６】
　ここで、上記２式では、ｋは定数、ＴH2＜ＴH1と計算される。
【００５７】
　なお、ＰＧＴ（ｔ0 ）＝ＰＩＮ2 （ｔ0 ）のときは、半飽和時間ＴH ＝（ＴH2＋ＴH1）／２として計算するのが好ましい。また、これらの時間（ｔ0 やｔE についての計測）は、図４の計時手段６８によって管理される。
【００５８】
　ここで、ＰＧＴ（ｔ0 ）＞ＰＩＮ2 （ｔ0 ）のときは、体内から窒素が排出される場合であり、ＰＧＴ（ｔ0 ）＜ＰＩＮ2 （ｔ0 ）のときは、体内へ窒素が吸収される場合である。これらの時に半飽和時間を可変するということは、窒素が排出される場合は、半飽和時間が長く、排出に時間がかかることを意味し、逆に窒素が吸収される場合は半飽和時間が短く、吸収にかかる時間は排出にかかる時間と比較すると短いことになる。
【００５９】
　このようにすれば、体内窒素量のシュミレーションをより厳密に行うことができる。従って、体内窒素分圧の許容値を設定しておけば、ダイバーがある水深（（水圧）で滞留したときに体内窒素分圧がこの許容値に到達するまでの時間（無減圧潜水可能時間）、および水面上で体内窒素分圧が平衡値にまで低下するまでの時間（体内窒素排出時間／安全情報）を精度よく求めることができる。このようにして本形態のダイバーズ用情報処理装置１には、無減圧潜水可能時間および体内窒素排出時間をダイバーの安全情報として導出する潜水可能時間導出手段９２および体内窒素排出時間導出手段９１が構成されている。また、体内窒素排出時間導出手段９１は、水面上で体内窒素分圧が平衡値にまで低下するまでの時間だけでなく、所定の水深位置でダイバーが停止し続けたときに、体内窒素量が所定の量だけ減少するまでの時間や体内窒素量が所定の量にまで減少するまでの時間も導き出すこともできる。
【００６０】
（各モードの説明）
　このように構成したダイバーズ用情報処理装置１は、図６を参照して以下に説明する各モード（時刻モードＳＴ１、サーフェスモードＳＴ２、プランニングモードＳＴ３、設定モードＳＴ４、ダイビングモードＳＴ５、ログモードＳＴ６）での使用が可能である。なお、本形態におけるダイビングモードＳＴ５での特徴的な動作および表示については各形態毎に後述するので、ここでは基本的な動作および表示について説明する。従って、図６には液晶表示パネル１１の各表示領域のうち、第８の表示領域１１８および第９の表示領域１１９については省略してある。
【００６１】
（時刻モードＳＴ１）
　時刻モードＳＴ１は、スイッチ操作を行わず、かつ、体内窒素が平衡状態時、陸上で携帯するときの機能であり、液晶表示パネル１１には現在月日１００、現在時刻１０１、高度ランク１０２（図１を参照。／高度ランクがランク０の場合にはマークが表示されない。）が表示される。高度ランク１０２は、現在の場所の高度を自動的に計測し、３つのランクで表示するようになっている。現在時刻１０１はコロンが点滅することによって、この表示が現在時刻１０１である旨を知らせる。たとえば、図６に示す状態では、現在１２月５日の１０時０６分であると表示されている。
【００６２】
　また、海抜の高い所、低い所を上下したときも気圧が変化するので、過去のダイビングの有無にかかわらず、体内への窒素の溶け込みや窒素の排出が起きる。
そこで、本形態のダイバーズ用情報処理装置１では、時刻モードＳＴ１であってもこのような高度変化があったときには減圧計算を自動的に開始し、表示が変わる。すなわち、図示を省略するが、高度が変わってからの時間、体内窒素が平衡状態になるまでの時間、現在から平衡状態になるまで体内に排出または溶け込む窒素量が表示される。
【００６３】
　この時刻モードＳＴ１では、スイッチＡを押すとプランニングモードＳＴ３に直接、移行し、スイッチＢを押すとログモードＳＴ６に直接、移行する。また、スイッチＡを押した後、スイッチＡを押したままスイッチＢを５秒間押し続けると、設定モードＳＴ４に移行する。
【００６４】
　この時刻モードＳＴ１の間に、図１、図２に示した入水監視スイッチ３０を介して入水したことを検出したときには自動的に機能チェックを行い、センサなどが正常であることが確認できれば、ダイビングモードＳＴ５に自動的に移行する。このときセンサなどに異常があったときには、その旨を図２に示した報音装置３７からアラーム音などで報知する。
【００６５】
（サーフェスモードＳＴ２）
　ダイバーズ用情報処理装置１は、ダイビングの終了後、導通していた入水監視スイッチ３０が絶縁状態になると自動的にサーフェスモードＳＴ２に移行する。
このサーフェスモードＳＴ２は、前回のダイビングから４８時間経過するまで、陸上で携帯するときの機能である。このサーフェスモードＳＴ２では、時刻モードＳＴ１で表示するデータ（現在月日１００、現在時刻１０１、高度ランク）の他に、ダイビング終了後の体内窒素量の変化の目安などを表示する。すなわち、体内に溶け込んだ過剰な窒素が排出され、平衡状態になるまでの時間が体内窒素排出時間２０１として表示される。この体内窒素排出時間２０１は、平衡状態になるまでの時間をカウントダウンする。体内窒素排出時間２０１が０時間００分になった以降は、無表示となる。なお、体内窒素排出時間２０１が０時間００分になったときには、体内窒素量導出手段６０が計測した体内不窒素量が陸上での平衡値になったとして、その旨が体内窒素排出時間２０１の表示の点滅、報音装置３７からのアラーム音、および振動発生装置３８からの振動でダイバーに報知される。従って、ダイバーは十分な休息をとったことを知ることができる。
【００６６】
　また、潜水後の経過時間は水面休止時間２０２として表示され、この水面休止時間２０２は、ダイビングモードＳＴ５において水深が１．５ｍよりも浅くなった時点をダイビングの終了として計時が開始され、４８時間まで計測した後、無表示となる。従って、ダイバーズ用情報処理装置１において、ダイビング終了後、４８時間が経過するまでは陸上においてこのサーフェスモードＳＴ２となり、それ以降は時刻モードＳＴ１である。なお、図６に示す状態では、現在、１２月５日の１１時５８分であり、ダイビング終了後、１時間１３分経過していると表示されている。また、これまで行ったダイビングにより体内に溶け込んだ窒素量が体内窒素グラフ２０３の４個分に相当することが表示され、この状態から体内の過剰な窒素が排出されて平衡状態になるまでの時間（体内窒素排出時間２０１）が、たとえば１０時間５５分であると表示されている。
【００６７】
　このサーフェスモードＳＴ２では、スイッチＡを押すとプランニングモードＳＴ３に直接、移行し、スイッチＢを押すとログモードＳＴ６に直接、移行する。
また、スイッチＡを押した後、スイッチＡを押したままスイッチＢを５秒間押し続けると、設定モードＳＴ４に移行する。
【００６８】
　このサーフェスモードＳＴ２の間に、入水監視スイッチ３０を介して入水したことを検出したときには自動的に機能チェックを行い、センサなどが正常であることを確認できれば、ダイビングモードＳＴ５に自動的に移行する。このときセンサなどに異常があったときにはその旨を報音装置３７からアラーム音などで報知する。
【００６９】
（設定モードＳＴ４）
　設定モードＳＴ４は、月日１００、現在時刻１０１の設定の他に、警告アラームのＯＮ／ＯＦＦ設定、セーフティレベルの設定をも行うための機能である。この設定モードＳＴ４では、現在月日１００、年１０６、現在時刻１０１、セーフティレベル（図示せず。）、アラームのＯＮ／ＯＦＦ（図示せず。）、高度ランクが表示され、これらの項目のうち、セーフティレベルは、通常の減圧計算を行うレベルと、ダイビング後に１ランク高い高度ランクの場所へ移動することを前提とした減圧計算を行うレベルの２つのレベルに設定できる。アラームのＯＮ／ＯＦＦは、報音装置３７から各種警告のアラームを鳴らすか否かを設定するための設定であり、アラームをＯＦＦに設定しておけば、アラームが鳴らない。従って、ダイバーズ用情報処理装置１のように電池切れが特に致命的である装置では、アラームのために消費される電力を削減でき、都合がよい。
【００７０】
　この設定モードＳＴ４では、スイッチＡを押す度に設定項目が時、秒、分、年、月、日、セーフティレベル、アラームＯＮ／ＯＦＦの順に切り換わり、それに相当する部分の表示が点滅する。このとき、スイッチＢを押すと設定項目の数値または文字が変わり、押し続けると数値や文字が早く変わる。アラームのＯＮ／ＯＦＦが点滅しているときにスイッチＡを押すと、サーフェスモードＳＴ２または時刻モードＳＴ１に戻る。また、スイッチＡ、Ｂのいずれもが１分〜２分間押されなければ、サーフェスモードＳＴ２または時刻モードＳＴ１に自動的に戻る。
【００７１】
　この設定モードＳＴ４の間に、入水監視スイッチ３０を介して入水したことを検出したときにも自動的に機能チェックを行い、センサなどが正常であることを確認できれば、ダイビングモードＳＴ５に自動的に移行する。このときセンサなどに異常があったときにはその旨を報音装置３７からアラーム音などで報知する。
【００７２】
（プランニングモードＳＴ３）
　プランニングモードＳＴ３とは、次に行うダイビングの最大水深と潜水時間の目安を入力するためのモードである。このモードでは、水深ランク３０１、無減圧潜水可能時間３０２、セーフティレベル、高度ランク、水面休止時間２０２、体内窒素グラフ２０３が表示される。水深ランク３０１のランクは、低ランクから高ランクへと順次、表示が変わっていくとともに、各水深ランク３０１での無減圧潜水可能時間３０２が表示される。たとえば、水深ランク３０１は、９ｍ、１２ｍ、１５ｍ、１８ｍ、２１ｍ、２４ｍ、２７ｍ、３０ｍ、３３ｍ、３６ｍ、３９ｍ、４２ｍ、４５ｍ、４８ｍの順に５秒毎に切り換わる。このとき、時刻モードＳＴ１からプランニングモードＳＴ３に移行したのであれば、過去の潜水によって体内に過剰な窒素蓄積がない初回潜水の計画であるため、体内窒素グラフ２０３が０であり、水深が１５ｍのときに無減圧潜水可能時間３０２が６６分と表示される。それ故、水深１２ｍ以上、１５ｍ以下のところで６６分未満まで無減圧潜水が可能であることがわかる。これに対して、サーフェスモードＳＴ２からプランニングモードＳＴ３に移行したのであれば、過去の潜水によって体内に過剰の窒素蓄積がある反復潜水の計画であるため、体内窒素グラフ２０３が４つ分であり、最大水深が１５ｍのときであれば、無減圧潜水可能時間３０２は４９分と表示される。それ故、水深１２ｍ以上、１５ｍ以下のところで４９分未満まで無減圧潜水が可能であることがわかる。
【００７３】
　このプランニングモードＳＴ３では、水深ランク３０１が４８ｍと表示されるまでの間にスイッチＡを２秒以上押し続けると、サーフェスモードＳＴ２に直接、移行する。また、水深ランク３０１が４８ｍと表示された後には時刻モードＳＴ１またはサーフェスモードＳＴ２に自動的に移行する。さらに、所定の期間、スイッチ操作がないときにはサーフェスモードＳＴ２または時刻モードＳＴ１に自動的に移行するので、その都度、スイッチ操作を行う必要がない分、便利である。これに対して、スイッチＢを押すとログモードＳＴ６に直接、移行する。
【００７４】
　また、プランニングモードＳＴ３の間に、入水監視スイッチ３０を介して入水したことを検出したときには自動的に機能チェックを行い、センサなどが正常であることを確認できれば、ダイビングモードＳＴ５に自動的に移行する。このときセンサなどに異常があったときにはその旨を報音装置３７からアラーム音などで報知する。
【００７５】
（ダイビングモードＳＴ５）
　ダイビングモードＳＴ５とは、潜水時のモードであり、無減圧潜水モードＳＴ５１では、現在水深５０１、潜水時間５０２、最大水深５０３、無減圧潜水可能時間３０２、体内窒素グラフ２０３、高度ランクなど、ダイビングに必要な情報が表示される機能である。
【００７６】
　たとえば、図６に示す状態では、ダイビングを開始してから１２分経過し、水深が１６．８ｍのところにおり、図１（Ａ）に示した液晶表示パネル１１の第４の表示領域１１４には、この水深ではあと４２分間無減圧潜水を続けることができる旨が表示されている。また、現在までの最大水深は２０．０ｍである旨が表示され、さらに、図１（Ａ）に示した液晶表示パネル１１の第６の表示領域１１６では、現在の体内窒素量は体内窒素グラフ２０３のマークが４つ点灯しているレベルである旨が表示される。
【００７７】
　ここで、ダイビングモードＳＴ５に移行したことをダイバーに知らせる目的で、現在水深５０１の表示などを点滅させてもよい。このように構成すると、ダイビングモードＳＴ５での処理を行っている旨を液晶表示パネル１１での表示で視認できるので、ダイバーは、ダイビングモードＳＴ５が正常に機能しているか否かを心配する必要がないので、便利である。
【００７８】
　このダイビングモードＳＴ５では、浮上速度監視機能として前記したとおり、急激な浮上は減圧症の原因となることから、６秒毎に現在の浮上速度を求めるとともに、この浮上速度と現在水深に対応する浮上速度許容値とを比較し、今回求めた浮上速度が浮上速度許容値よりも速い場合には、報音装置３７から４ｋＨｚの周波数でアラーム音（浮上速度違反警告）を３秒間発するとともに、浮上速度を落とすように、図１（Ａ）に示した液晶表示パネル１１の第７の表示領域１１７において「ＳＬＯＷ」との表示と、現在水深の表示とを１Ｈｚ周期で交互に点滅させ、浮上速度違反警告を行う。また、振動発生装置３８から浮上速度違反である旨を振動でダイバーに警告する。そして、浮上速度が正常なレベルにまで低下したときには前記の浮上速度違反警告を停止する。
【００７９】
　なお、ダイビングモードＳＴ５では、スイッチＡを押すと、それが押し続けられている間だけ、現在時刻表示モードＳＴ５２として、現在時刻１０１と現在水温５０４が表示される。図６に示す状態では、現在、時刻が１０時１８分であり、水温が２３℃であると表示されている。このように、ダイビングモードＳＴ５においてその旨のスイッチ操作があったときには所定の期間だけ現在時刻１０１や現在水温の表示を行うため、小さな表示面内で常時はダイビングに必要なデータだけを表示するように構成したとしても（無減圧潜水モードＳＴ５１）、現在時刻１０１などを必要に応じて表示できるので（現在時刻表示モードＳＴ５２）、便利である。しかも、このようにダイビングモードＳＴ５においても、表示の切り換えにスイッチ操作を用いたので、ダイバーが知りたい情報を適正なタイミングで表示できる。
【００８０】
　このダイビングモードＳＴ５の間に、水深が１．５ｍより浅いところにまで浮上したときには、ダイビングが終了したものとして処理され、導通していた入水監視スイッチ３０が絶縁状態になった時点でサーフェスモードＳＴ２に自動的に移行する。この間、水深が１．５ｍ以深になったときから１．５ｍ以浅になったときまでを１回の潜水動作としてこの間の潜水結果（ダイビングの日付、潜水時間、最大水深などの様々なデータ）をＲＡＭ５４に記憶、保持しておく。併せて、今回のダイビング中に前記の浮上速度違反警告が連続して２回以上あったときには、その旨も潜水結果として記録する。
【００８１】
　本形態のダイバーズ用情報処理装置１は、あくまで無減圧潜水を前提に構成されているものであるが、万が一、減圧潜水の状態になったときには、その旨のアラーム音でダイバーに報知するとともに、以下の減圧潜水表示モードＳＴ５３に切り換わる。すなわち、減圧潜水表示モードＳＴ５３では、現在水深５０１、潜水時間５０２、体内窒素グラフ２０３、高度ランク、減圧停止深度５０５、減圧停止時間５０６、総浮上時間５０７が表示される。図６に示す状態では、潜水開始から２４分経過し、水深が２９．５ｍのところにいる旨が表示されている。また、体内窒素量が最大許容値を越え、危険であるため、安全な浮上速度を守りながら、水深３ｍのところまで浮上し、そこで１分間の減圧停止をするようにとの指示が表示される。また、安全な浮上速度として水面までには最低でも５分かけるようにとの指示が表示される。さらに、現在、体内窒素量が増大傾向にある旨が上向きの矢印５０８で表示される。そこで、ダイバーは、上記の表示内容に基づいて減圧停止した後、浮上するが、この減圧を行っている間、体内窒素量が減少傾向にある旨が下向きの矢印５０９で表示される。
【００８２】
（ログモードＳＴ６）
　時刻モードＳＴ１またはサーフェスモードＳＴ２においてスイッチＢを押すと、ログモードＳＴ６に直接、移行する。ログモードＳＴ６は、３分以上、ダイビングモードＳＴ５に入った状態で水深１．５ｍよりも深く潜水したときの各種データを記憶、表示する機能である。このようなダイビングのデータは、ログデータとして潜水毎に順次記憶され、最大１０本のログデータが記憶、保持され、それ以上潜水した場合には古いデータから順に削除され、常に最新の１０本分のダイビングが記憶される。
【００８３】
　このログモードＳＴ６において、ログデータは４秒毎に切り換わる２つの画面で表示される。第１の画面ＳＴ６１では、潜水月日６０１、平均水深５０９、潜水開始時刻６０３、潜水終了時刻６０４、高度ランク、潜水を終了したときの体内窒素グラフ２０３が表示される。第２の画面ＳＴ６２では、その日での潜水ナンバーであるログナンバー６０５、最大水深６０８、潜水時間６０６、最大水深時の水温６０７、高度ランク、潜水を終了したときの体内窒素グラフ２０３が表示される。たとえば、図６に示す状態では、高度ランクが０のところで、１２月５日の２本目のダイビングは潜水が１０時０７分に開始された以降、１０時４５分で終了し、３８分間の潜水であった旨が表示されている。このときのダイビングでは、平均水深が１４．６ｍ、最大水深が２６．０ｍ、最大水深時の水温が２３℃であり、ダイビング終了後、体内窒素グラフ２０３が４つ分の窒素が体内に溶け込んだ旨を表示してる。このように、ログモードＳＴ６では２画面を自動的に切り換えながら各種の情報を表示するので、表示面が小さくても表示できる情報量が多い。
【００８４】
　また、ログモードＳＴ６では、今回表示しているダイビング中に前記の速度違反警告が２回以上あったときには、その旨を、たとえば液晶表示パネル１１の第７の表示領域１１７において「ＳＬＯＷ」と表示する。
【００８５】
　このログモードＳＴ６ではスイッチＢを押す度に、新しいデータから古いデータに切り換わり、最も古いデータが表示された後は、時刻モードＳＴ１またはサーフェスモードＳＴ２に移行する。その途中にスイッチＢを２秒以上押し続けた場合も時刻モードＳＴ１またはサーフェスモードＳＴ２に移行する。さらに、スイッチＡ、Ｂのいずれもが１分〜２分間押されない場合も、サーフェスモードＳＴ２または時刻モードＳＴ１に自動的に戻るので、その都度、スイッチ操作を行う必要がない分、便利である。これに対して、スイッチＡを押すと、プランニングモードＳＴ３に直接、移行する。このように、本形態では、プランニングモードＳＴ３、サーフェスモードＳＴ２と、ログモードＳＴ６のうち、いずれのモード間でも１回のスイッチ操作で相互の直接移行が可能である。従って、各モードへの移行ルートの自由度が高いので、プランニングモードＳＴ３とログモードＳＴ６との間でも１回の操作で相互に、直接移行できるため、過去の潜水記録を参照しながら潜水計画を立てるのに手間がかからず、便利である。
【００８６】
　また、ログモードＳＴ６の間に、入水監視スイッチ３０を介して入水したことを検出したときには自動的に機能チェックを行い、センサなどが正常であることを確認できれば、ダイビングモードＳＴ５に自動的に移行する。このときセンサなどに異常があったときにはその旨を報音装置３７からアラーム音などで報知する。このように、プランニングモードＳＴ３、サーフェスモードＳＴ２（時刻モードＳＴ１）、ログモードＳＴ６、設定モードＳＴ４のいずれのモードからもダイビングモードＳＴ５に自動的に移行することができるので、たとえば、ログモードＳＴ６において過去の潜水記録を確認した後、あるいはプランニングモードＳＴ３で潜水計画を設定した後、そのまますぐに潜水を開始することができるなど、便利である。また、いずれもモードからでもダイビングモードＳＴ５に移行できるので、ダイビングモードＳＴ５に移行する準備ができていなくてダイビングモードＳＴ５に移行し損ねたことを潜水を開始した後にはじめて知るという失敗がないので、使い勝手がよい。しかも、ダイビングモードＳＴ５に移行する際には予め機能チェックを行い、該機能チェックにおいて異常を検出したときにはダイビングモードＳＴ５への移行を自動的に停止するとともに、その旨のアラーム報知を行うため、異常があるままダイビングモードＳＴ５に移行するという失敗がなく、しかも異常にすぐ気付くので、便利である。しかも、潜水中に体内に蓄積される不活性ガスの量を監視し損なうということがないので、減圧症を防止するという観点から安全でもある。
【００８７】
［実施の形態１］
　このように構成したダイバーズ用情報処理装置１において、本形態では、前記のサーフェスモードＳＴ２だけでなく、ダイビングモードＳＴ５（潜水中）においても、図７に示すように、液晶表示パネルの第８の表示領域１１８において、図４を参照して説明した体内窒素排出時間導出手段９１が導出した窒素排出時間９０１を表示する。但し、ここで表示される体内窒素排出時間９０１は、サーフェスモードＳＴ２のように水面上で潜水を休止している状態における体内窒素排出時間２０１（図６参照。）ではなく、ダイビング中の現在水深位置でダイバーが停止し続けたときに、体内窒素が体内から排出されて体内窒素量がこの水深位置で平衡値（目標体内窒素量／目標体内不活性ガス量）となるのに要する時間である。すなわち、図４において、体内窒素排出時間導出手段９１は、サーフェスモードＳＴ２で表示すべき体内窒素排出時間２０１を体内窒素の平衡値基準９１４および水深０ｍ基準９１１で導出するとともに、ダイビングモードＳＴ５（潜水中）で表示すべき体内窒素排出時間９０１を水深計測手段６１での現在水深の計測結果に基づいて現在水深基準９１２および体内窒素の平衡値基準９１４で導出する。
【００８８】
　このように構成すると、ダイバーの現在水深位置が深すぎる場合には、窒素が体内に吸収され、体内窒素分圧が上昇傾向にあるため、体内窒素排出時間９０１は導出されない。それ故、このような水深位置では体内窒素排出時間９０１の表示を行わない。
【００８９】
　これに対して、ダイバーの現在水深が比較的浅いときには、窒素が体内から排出され、体内窒素分圧が下降傾向にあるため、体内窒素排出時間９０１を導出することができる。そこで、本形態では、この現在水深位置において体内窒素量が平衡値となるまでの時間を表示する。たとえば、図７に示す状態では、ダイビングを開始してから１８分経過したときに水深が６．０ｍのところにまで浮上しており、この位置で停止し続ければ、１５分後に体内窒素量９０２が水深６．０ｍに対応する所定の平衡値となる旨を表示している。
【００９０】
　従って、ダイバーは、潜水途中に安全停止を行ったときに、第７の表示領域１１７の矢印の向きで窒素が吸収状態および排出状態のいずれの状態にあるかを判断できるとともに、体内窒素排出時間９０１が表示されておれば、この水深位置での停止は、窒素が排出状態にあって、安全停止として妥当であると客観的に判断することができる。また、ダイバーは、現在水深位置での体内窒素排出時間９０１が表示されるので、その時間が長すぎるときには、もう少し浅い位置で安全停止すべきであるとの判断を行うことになる。それ故、ダイバーは、陸上に上がらなくても、適正な水深位置にまで浮上して安全停止を開始した以降、体内窒素排出時間９０１が時間経過とともにカウントダウンされていく様子をみて、体内窒素を完全に、あるいはある程度排出するのに十分な時間だけ安全停止したことを客観的に、かつ、確実に確認することができる。
【００９１】
　なお、ダイビングモードＳＴ５において、ダイバーが現在水深位置で停止し続けるうちに、体内液晶表示パネルの第８の表示領域１１８に表示されている体内窒素排出時間９０１が０時間００分になったときには、体内窒素量導出手段６０が計測した体内不窒素量が、現在水深値に対応する平衡値（目標体内窒素量）まで低下したとして、その旨が体内窒素排出時間９０１の表示の点滅、報音装置３７からのアラーム音、および振動発生装置３８からの振動でダイバーに報知される。従って、ダイバーは現在水深位置で十分な安全停止を行ったことを知ることができる。
【００９２】
　また、本形態では、ダイビングモード中、現在の体内窒素量からみて無減圧潜水状態を維持しながら潜降可能な許容水深値９０２を液晶表示パネル１１の第９の表示領域１１９に表示するようになっている。すなわち、図４に示すように、本形態のダイバーズ用情報装置１には現在の体内窒素量（体内窒素分圧）に基づいて無減圧潜水状態を維持しながら潜降可能な許容水深値９０２を導出していく許容水深値導出手段９３が構成されている。この水深許容値導出手段９３は、図２に示したＣＰＵ５１、ＲＯＭ５３、ＲＡＭ５４の機能として実現され、たとえばＲＯＭ５３に構成されているルックアップテーブルから現在の体内窒素量に対応する許容水深値９０３を導出する。そして、この許容水深値９０３もダイビングモードＳＴ５では表示部１０において、液晶表示パネル１１の第９の表示領域１１９に表示される。たとえば、図７に示す状態では、今の状態であれば２１ｍの深さにまで潜っても無減圧潜水のままである旨が表示されている。それ故、ダイバーは、ダイビング中に表示される水深許容値９０２を確認しながらダイビングすることによって、減圧潜水となってしまうことを確実に防止できる。
【００９３】
　なお、ダイビングモードＳＴ５中、体内窒素分圧の許容値に到達するまでの時間（無減圧潜水可能時間３０２）が液晶表示パネルの第４の表示領域１１４に表示されるのは、図６を参照して説明したとおりである。また、ダイビングモードＳＴ５中、体内窒素量が体内窒素グラフ２０３として第６の表示領域１１６にランク表示されるのも、図６を参照して説明したとおりである。
【００９４】
［実施の形態２］
　本形態でも、前記のサーフェスモードＳＴ２だけでなく、ダイビングモードＳＴ５（潜水中）においても、図８に示すように、液晶表示パネル１１の第８の表示領域１１８において、図４を参照して説明した体内窒素排出時間導出手段９１が導出した体内窒素排出時間９０４を表示するようになっている。但し、ここで表示される体内窒素排出時間９０４は、サーフェスモードＳＴ２のように水面上で潜水を休止している状態における体内窒素排出時間２０１（図６参照。）ではなく、予め設定されている水深設定値、たとえば水深５ｍでダイバーが停止し続けたときに、体内窒素量がこの水深設定値に相当する水深値で平衡値（目標体内窒素量）となるのに要する時間であり、この水深設定値９０５も、同じく液晶表示パネル１１の第８の表示領域１１８に５ｍと表示される。従って、図４に示す体内窒素排出時間導出手段９１は、サーフェスモードＳＴ２で表示すべき体内窒素排出時間２０１を体内窒素の平衡値基準９１４および水深０ｍ基準９１１で導出するとともに、ダイビングモードＳＴ５（潜水中）で表示すべき体内窒素排出時間９０１を体内窒素の平衡値基準９１４および水深設定値基準９１３で導出するように構成されている。それ故、ここで表示される体内窒素排出時間９０４はダイバーの現在水深位置とは直接、関係がない。なお、図８に示す状態では、ダイビングを開始してから１８分経過したときに水深が６．０ｍのところにまで浮上した状態にあって、かつ、体内窒素排出時間９０４が１５分であるので、水深５ｍの位置で安全停止を行えば１５分間の安全停止により体内窒素量が平衡値となる旨が表示されている。
【００９５】
　このように構成したダイバーズ用情報処理装置１では、設定水深値９０５での体内窒素排出時間９０４が表示されているので、陸上に上がらなくても水深５ｍのところまで浮上して安全停止を開始した以降、体内窒素排出時間９０４が時間経過とともにカウントダウンされていく様子をみて、体内窒素を完全に、あるいはある程度排出するのに十分な時間だけ安全停止したことを客観的に、かつ、確実に確認することができる。
【００９６】
　また、ダイビングモードＳＴ５において、ダイバーが設定水深値９０５に相当する水深位置で停止し続けるうちに、体内液晶表示パネルの第８の表示領域１１８に表示されている体内窒素排出時間９０４が０時間００分になったときには、体内窒素量導出手段６０が計測した体内不窒素量が、設定水深値９０５に対応する平衡値（目標体内窒素量）まで低下したとして、その旨が体内窒素排出時間９０４の表示の点滅、報音装置３７からのアラーム音、および振動発生装置３８からの振動でダイバーに報知される。従って、ダイバーは現在水深位置で十分な安全停止を行ったことを知ることができる。
【００９７】
　なお、ダイバーがダイビングの途中に安全停止しようとしたときに、あまりに浅いところでは減圧症にかからなくても、肺への負担が大きいなどの危険が考えられる。そこで、本形態では、ダイバーが前記の水深設定値９０５である５ｍよりも浅いところにまで浮上してしまったときにも、液晶表示パネル１１の第８の表示領域１１８に表示されている水深設定値９０５の表示を点滅させ、ダイバーに報知する。同時に、図２に示した報音装置３７および振動発生装置３８から発せられるアラーム音や振動によっても、ダイバーが水深設定値９０５よりも浅いところにまで浮上してしまったことをダイバーに報知する。
【００９８】
　その他の構成は図７を参照して説明した実施の形態１と同様であるため、それらの説明を省略する。
【００９９】
　なお、本形態では、前記の水深設定値９０５が５ｍと設定されてい場合を例に説明したが、この値については、外部から任意の値に設定できるように構成してもよい。このような設定は、図６を参照して説明した設定モードＳＴ４で行えばよい。すなわち、水深設定値９０５が５ｍと初期設定されている場合でも、より安全を考慮して水深６ｍの位置を安全停止の位置と設定したいときには、設定モードＳＴ４において設定項目を水深設定値９０５とし、スイッチＢを押して数値を変えるだけでよい。その結果、Ｒ０Ｍ５３に５ｍと初期設定されていた水深設定値９０５に代えて、新たにＲＡＭ５４に５ｍと書き込まれた水深設定値９０５に基づいて、ダイビングモードＳＴ５での体内窒素排出時間９０４が導出される。このようにして、水深設定値９０５を変更するための水深設定値入力手段を実現できる。
【０１００】
［実施の形態３］
　また、実施の形態１、２のいずれにおいても、ダイビング中に表示する体内窒素排出時間として、サーフェスモードＳＴ２と同様、体内窒素量が平衡値となるまでの時間を用いたが、ダイビング中に表示する窒素排出時間については、安全停止の適否などを確認するための目安であることから、体内窒素量が平衡値となるまでの時間では長すぎることがある。
【０１０１】
　そこで、本形態では、実施の形態２で参照したものをベースに構成したものを図９に示すように、ダイビングモードＳＴ５で表示する体内窒素排出時間９０６については、予め設定されている窒素量設定値（ダイビングモードで行う安全停止時の目標体内窒素量）にまで体内窒素量が減少するまでの時間として導出し、それを表示する。従って、図４に示す体内窒素排出時間導出手段９１は、体内窒素の平衡値基準９１４に代えて、窒素量設定値基準９１５で体内窒素排出時間９０６を導出し、図９に示すように、体内窒素排出時間９０６を液晶表示パネル１１の第８の表示領域１１８に表示するとともに、第９の表示領域１１９には、前記の窒素量設定値９０７、たとえば５ｂａｒと表示する。
【０１０２】
　ここで、窒素量設定値基準９１５として用いる窒素量設定値９０７については、第６の表示領域１１６に表示されている体内窒素グラフ２０３と連動させることが好ましい。たとえば、体内窒素グラフ２０３はマークが９個構成されていることから、全部消灯も含めて１０ランクで表示できる。そこで、体内窒素グラフ２０３がたとえば３個の点灯から２個の点灯に切り変わるとき、すなわち、体内窒素グラフ２０３において完全消灯から数えて３ランク目に相当する量（本形態では５ｂａｒ／目標体内窒素量）にまで減少するのに要する時間を導出するように構成していく。このように構成すると、ダイバーは、ダイビング中に安全停止したときには体内窒素排出時間９０６で時間管理をし、かつ、体内窒素グラフ２０３から体内窒素量を確認することができる。
【０１０３】
　なお、本形態では、窒素量設定値基準９１５として用いる窒素量設定値９０７は５ｂａｒと設定されてい場合を例に説明したが、この値については、外部から任意に値に設定できるように構成してもよい。このような設定も、図６を参照して説明した設定モードＳＴ４で行えばよい。すなわち、窒素量設定値９０７が５ｂａｒと初期設定されている場合でも、より安全を考慮して窒素量設定値９０７を４ｂａｒに変えたいときには、設定モードＳＴ４において設定項目が窒素量設定値９０７となったときに、スイッチＢを押して数値を変えるだけでよい。その結果、Ｒ０Ｍ５３に５ｂａｒと初期設定されていた窒素量設定値９０７に代えて、新たにＲＡＭ５４に４ｂａｒと書き込まれた窒素量設定値９０７に基づいて、ダイビングモードＳＴ５での体内窒素排出時間９０６が導出される。このようにして、窒素量設定値９０７を変更するための窒素量設定値入力手段を実現できる。
【０１０４】
　また、ダイビングモードＳＴ５で表示する体内窒素排出時間９０６については、現在の体内窒素量から所定の量（判定値）だけ減少するまでの時間として導出し、それを表示してもよい。この場合の判定値についても第６の表示領域１１６に表示されている体内窒素グラフ２０３（図１（Ａ）を参照。）と連動させることが好ましい。たとえば、体内窒素グラフ２０３はマークが９個構成されていることから、現在いくつのマークが点灯している場合でもその１個分に相当する量だけ体内窒素が減少した量を目標体内窒素量とし、この目標体内窒素量に体内窒素量が到達するのに要する時間を体内窒素排出時間９０６として導出し、それを表示する。このように構成した場合も、ダイバーは、ダイビング中でも体内窒素排出時間９０６で時間管理をし、かつ、体内窒素グラフ２０３の点灯が１個減ったことによって体内窒素量を確認することができる。このような表示による報知に加えて、体内窒素グラフ２０３の点灯が１個減った時点で、体内窒素量が目標体内窒素量に到達した旨を報音装置３７からのアラーム音、および振動発生装置３８からの振動でダイバーに報知してもよい。
【０１０５】
［その他の実施の形態］
　なお、上記の各形態では不活性ガスとして窒素を監視する構成を説明したが、ヘリウムガスなどの希ガスを含むもの、あるいはヘリウムガスなどの希ガスと窒素との混合ガスを含むものを吸気として用いた場合には、希ガス、または希ガスと窒素の体内蓄積量およびその排出時間を監視するように構成してもよい。また、上記の各形態に限らず、各形態で説明した各構成を種々組み合わせてもよいことは勿論である。
【図面の簡単な説明】
【０１０６】
【図１】（Ａ）は、本発明を適用したダイバーズ用情報処理装置の装置本体および腕バンドの一部を示す平面図、（Ｂ）は、その装置本体を腕時計の６時の方からみたときの側面図である。
【図２】本発明を適用したダイバーズ用情報処理装置全体のブロック図である。
【図３】本発明を適用したダイバーズ用情報処理装置において、浮上速度違反警告を行うための機能ブロック図である。
【図４】本発明を適用したダイバーズ用情報処理装置に構成した体内窒素量導出手段などの機能ブロック図である。
【図５】本発明を適用したダイバーズ用情報処理装置において、体内窒素量や体内窒素排出時間を導出する際に用いる半飽和時間の意味を示す説明図である。
【図６】本発明を適用したダイバーズ用情報処理装置が有する各機能を示すフローチャートである。
【図７】本発明の実施の形態１に係るダイバーズ用情報処理装置のダイビングモードで行われる表示内容を示す説明図である。
【図８】本発明の実施の形態２に係るダイバーズ用情報処理装置のダイビングモードで行われる表示内容を示す説明図である。
【図９】本発明の実施の形態３に係るダイバーズ用情報処理装置のダイビングモードで行われる表示内容を示す説明図である。
【符号の説明】
【０１０７】
１・ダイバーズ用情報処理装置、５・操作部、１０・表示部（表示手段）、１１・液晶表示パネル、３０・入水監視スイッチ、３４・圧力センサ、３７・報音装置、３８・振動発生装置、５０・制御部、５１・ＣＰＵ、５３・ＲＯＭ、５４・ＲＡＭ、６０・体内窒素量導出手段、６１・水深計測手段（水圧計測手段）、６２・呼吸気窒素分圧計算手段、６３・呼吸気窒素分圧記憶手段、６４・体内窒素分圧計算手段、６５・体内窒素分圧記憶手段、６７・半飽和時間選択手段、６８・計時手段、７５・浮上速度計測手段、７６・浮上速度許容値、７７・浮上速度違反判定手段、９１・体内窒素排出時間導出手段、９２・潜水可能時間導出手段、９３・許容水深値導出手段、Ａ、Ｂ・スイッチ、ＳＴ１・時刻モード、ＳＴ２・サーフェスモード、ＳＴ３・プランニングモード、ＳＴ４・設定モード、ＳＴ５・ダイビングモード、ＳＴ６・ログモード
【図１】
2004099039.tif 000007
【図２】
2004099039.tif 000008
【図３】
2004099039.tif 000009
【図４】
2004099039.tif 000010
【図５】
2004099039.tif 000011
【図６】
2004099039.tif 000012
【図７】
2004099039.tif 000013
【図８】
2004099039.tif 000014
【図９】
2004099039.tif 000015